(57)【特許請求の範囲】
【請求項１】
開口枠の内側に、先開き・後閉め側になる親扉と、後開き・先閉め側になる子扉とが屋外側に向けて両開きとなるように取り付けられ、
前記子扉には、子扉の上下に出没して前記開口枠に係脱する固定具により閉扉状態の子扉を前記開口枠に対して固定する子扉側の閉鎖手段が設けられるとともに、
前記親扉には、親扉の上下に出没して前記開口枠に係脱する固定具と、親扉の戸先錠面に出没して子扉に係脱するドアボルトとにより、閉扉状態の親扉を前記開口枠及び前記閉扉状態の子扉に対して固定する親扉側の閉鎖手段が設けられた親子式の非常用扉の開閉装置であって、
前記親扉及び前記子扉には、各扉の屋内側に個別に取り付けたハンドルの押込操作によって各扉の閉鎖手段を解除側に動かす開扉操作手段がそれぞれ設けられるとともに、
前記親扉と前記子扉との召合せ部分には、子扉側の開扉操作を親扉側に伝達する開扉連係手段が設けられ、
前記開扉連係手段は、子扉側の開扉操作手段によって親扉側に作用する子扉側の作動機構と、前記作動機構の動きに応じて親扉側の開扉操作手段を動かす親扉側の従動機構とを備え、
前記子扉側の作動機構は、子扉の戸先錠面に出没する作動杆及びボルト押戻部材と、前記作動杆及び前記ボルト押戻部材を子扉側のハンドル操作に連動して動かす連係リンク部材と、を含んで構成され、
前記子扉側の開扉操作手段を用いて子扉側の閉鎖手段を解除すると、前記作動機構及び従動機構を介して親扉側の閉鎖手段も解除されることを特徴とする非常用扉の開閉装置。
【請求項２】
請求項１に記載された非常用扉の開閉装置において、
前記親扉側の従動機構は、親扉の戸先錠面に出没して前記作動杆に当接する従動杆と、前記従動杆の出没に連動してドアボルトの出没を規制するドアボルトストッパと、を含んで構成されていることを特徴とする非常用扉の開閉装置。
【請求項３】
請求項１または２に記載された非常用扉の開閉装置において、
前記連係リンク部材は、前記作動杆の始動に対して前記ボルト押戻部材の始動をわずかに遅らせるように構成されていることを特徴とする非常用扉の開閉装置。
【請求項４】
請求項１〜３のいずれか１項に記載された非常用扉の開閉装置において、
前記親扉側には、前記ドアボルトが没入して親扉側の閉鎖手段が解除された状態で、前記親扉側の開扉操作手段を拘束する開扉状態保持手段が設けられるとともに、
前記開扉状態保持手段は、前記子扉及び前記親扉が閉扉して両扉の召合せ面が相対すると該拘束状態を解除するリセット手段を具備していることを特徴とする非常用扉の開閉装置。
【請求項５】
請求項１〜４のいずれか１項に記載された非常用扉の開閉装置において、
前記子扉には、子扉側の閉鎖手段が解除されて、前記作動杆が召合せ面から突出するとともに前記ボルト押戻部材がドアボルトの受口を塞いだ状態で、前記連係リンク部材を拘束する開扉状態保持手段が設けられるとともに、
前記開扉状態保持手段は、前記子扉及び前記親扉が閉扉して両扉の召合せ面が相対すると該拘束状態を解除するリセット手段を具備していることを特徴とする非常用扉の開閉装置。
【請求項６】
請求項１〜５のいずれか１項に記載された非常用扉の開閉装置において、
前記親扉と前記子扉との召合せ部分に目板が取り付けられ、
子扉側のハンドル操作によって閉鎖手段が解除された子扉を押し開くと、前記目板を介して親扉も押し開かれ、親扉が親扉側のハンドル操作を要さずに開扉可能になることを特徴とする非常用扉の開閉装置。
【請求項７】
請求項１〜６のいずれか１項に記載された非常用扉の開閉装置において、
前記親扉には屋外側から操作可能な錠装置及び外ハンドルが取り付けられ、
前記錠装置の解錠操作により前記親扉側の従動機構が動いてドアボルトの出没規制が解除され、
前記外ハンドルの操作により親扉側の閉鎖手段が解除されることを特徴とする非常用扉の開閉装置。 
【発明の詳細な説明】
【技術分野】
【０００１】
本発明は、特に緊急時の脱出用として各種施設に設置される両開き式の非常用扉を、簡単迅速に開放するための開閉装置に関する。
【背景技術】
【０００２】
大勢の人々が利用する公共施設や商業施設、業務施設等においては、火災等の緊急事態が発生した際に、人々が安全かつ迅速に屋外へと脱出するための避難経路を設ける必要がある。そのような避難経路に設置される非常用扉の開閉装置として、例えば特許文献１〜３等に開示されたものが公知である。
【０００３】
かかる開閉装置の基本的な構成は、扉（ウイング）の屋内側に取り付けられた横長のプッシュハンドル（「パニックハンドル」とも称される。）を押すと、該ハンドルに連結されたアームが、扉の戸先近傍に取り付けられた施錠装置を解錠方向に動かして、扉の戸先面から突出しているドアボルト（デッドボルト又はラッチボルト）を没入させることにより、扉の拘束が解除されて開扉可能になる、というものである。このようなドアボルトを有する施錠装置と、扉の上下にピンまたはラッチ状の固定部材を突出させて開口枠の上下２ヶ所に係合させる固定具とを組み合わせた、３点締り（多点締り）式の開閉装置もよく利用されている。プッシュハンドルを押すことによって扉を屋外側に開放するように構成された開閉装置は、非常口に押し寄せる人波の圧力に逆らわず、人々を円滑に避難させる、という利点を有する。
【０００４】
本出願人も特許文献４において、非常用扉を、より素早く確実に開くことができるように改良した開閉装置を提案している。
【０００５】
かかる非常用扉は、間口を大きく取れるように両開き方式で設置されることも多い。その種の両開き扉においては、平常時の閉扉状態における防犯や風除けのため、両扉の召合せ部分に沿って目板（目隠し板）が取り付けられる場合がある。そのような目板が取り付けられた両開き扉は、一方の扉が先開き・後閉め側となり、他方の扉が後開き・先閉め側となるように規定される。
【０００６】
特許文献５〜８には、先開き・後閉め側になる扉(本発明においては、説明の便宜上、この種の扉を「親扉」と総称する。）と、後開き・先閉め側になる扉（同じく、「子扉」と総称する。）とによって構成される両開き方式の非常用扉に関して、親扉を開くと子扉も開扉可能になり、親扉を閉めると子扉も固定されるように構成された開閉装置が提案されている。また、特許文献９には、子扉を先に固定しておかなければ親扉を閉めて施錠できず、親扉を閉めて施錠した状態では子扉の固定を解除できないように構成した開閉装置が提案されている。
【先行技術文献】
【特許文献】
【０００７】
【特許文献１】特開昭６０−２５３６７５号公報
【特許文献２】実公平３−３２６９７号公報
【特許文献３】特開平８−８６１３３号公報
【特許文献４】特開２０１２−２３３３０４号公報
【特許文献５】特開平６−５８０３２号公報
【特許文献６】特開２００７−１７００７１号公報
【特許文献７】特開２００７−３１５１３９号公報
【特許文献８】特開２０１０−３７７７９号公報
【特許文献９】特開２００３−３０７０６７号公報
【発明の概要】
【発明が解決しようとする課題】
【０００８】
前述のような両開き式の非常用扉においては、非常時に、まず先開き側の親扉を開き、続いて後開き側の子扉を開くことによって、避難のための間口を確保することができる。しかしながら、いざというときに、非常用扉の近くに居る人が、親扉と子扉の位置関係を的確に判断し、正しい手順で親子扉を開扉できるとは限らない。特に、左右の扉幅が同程度である場合は、親扉と子扉との区別がつきにくいので、当該施設に不馴れな人が、慌てて子扉側から避難しようとして、子扉側のハンドルを先に操作する、といった事態も起こり得る。
【０００９】
前記従来のような親子扉では、そのような状況で先に子扉側の固定を解除したとしても、親扉側の固定を解除するまでは、どちらの扉も開かない。そして、子扉を無理に押し続けると、両扉の召合せ部分を介して親扉にも異常な負荷が加わり、各部に好ましくない摩擦力が生じるなどして、ドアボルトや上下の固定具の解除が阻害されるおそれがある。すると、親扉側のハンドルを押し下げても親扉が円滑に開かず、その結果、避難が遅れてしまうことにもなりかねない。
【００１０】
本発明は、かかる事情に鑑みてなされたもので、召合せ部分に目板が取り付けられるなどの理由により左右の扉の開閉順序があらかじめ決められている両開き式の非常用扉において、先開き・後閉め側になる親扉と、後開き・先閉め側になる子扉のどちらから先に開扉操作しても、両扉が円滑に開扉される開閉装置を提案するものである。
【００１１】
なお、本発明における「非常用扉」とは、扉の種類や日常的な利用態様について特に厳密に規定されるものではなく、緊急時の避難用として利用される可能性がある扉全般を包括する。
【００１２】
また、本発明においては、扉が「屋内側」から「屋外側」に向けて開放されるものと設定し、各部位・部材の位置関係を、「屋内（側）／屋外（側）」という表現で説明するが、この基準は説明の便宜上のものであって、「屋内」及び「屋外」に相当する各領域の形態や規模、利用態様等は特に限定しない。つまり、本発明の構成は、非常用扉が設置される施設において、緊急時に退出すべき区域が「屋内」、相対的に安全な区域が「屋外」に該当するものとして理解されるべきである。
【課題を解決するための手段】
【００１３】
前述の目的を達成するために本発明が採用した基本的構成は、開口枠の内側に、先開き・後閉め側になる親扉と、後開き・先閉め側になる子扉とが屋外側に向けて両開きとなるように取り付けられ、前記子扉には、子扉の上下に出没して前記開口枠に係脱する固定具により閉扉状態の子扉を前記開口枠に対して固定する子扉側の閉鎖手段が設けられるとともに、前記親扉には、親扉の上下に出没して前記開口枠に係脱する固定具と、親扉の戸先錠面に出没して子扉に係脱するドアボルトとにより、閉扉状態の親扉を前記開口枠及び前記閉扉状態の子扉に対して固定する親扉側の閉鎖手段が設けられた親子式の非常用扉の開閉装置であって、前記親扉及び前記子扉には、各扉の屋内側に個別に取り付けたハンドルの押込操作によって各扉の閉鎖手段を解除側に動かす開扉操作手段がそれぞれ設けられるとともに、前記親扉と前記子扉との召合せ部分には、子扉側の開扉操作を親扉側に伝達する開扉連係手段が設けられ、前記開扉連係手段は、子扉側の開扉操作手段によって親扉側に作用する子扉側の作動機構と、前記作動機構の動きに応じて親扉側の開扉操作手段を動かす親扉側の従動機構とを備え、前記子扉側の作動機構は、子扉の戸先錠面に出没する作動杆及びボルト押戻部材と、前記作動杆及び前記ボルト押戻部材を子扉側のハンドル操作に連動して動かす連係リンク部材と、を含んで構成され、前記子扉側の開扉操作手段を用いて子扉側の閉鎖手段を解除すると、前記作動機構及び従動機構を介して親扉側の閉鎖手段も解除されることを特徴とする。 
【００１４】
さらに、本発明は、前記基本的構成において、前記親扉と前記子扉との召合せ部分に目板が取り付けられ、子扉側のハンドル操作によって閉鎖手段が解除された子扉を押し開くと、前記目板を介して親扉も押し開かれ、親扉が親扉側のハンドル操作を要さずに開扉可能になることを特徴とする。
【００１６】
さらに、本発明は、前記親扉側の従動機構が、親扉の戸先錠面に出没して前記作動杆に当接する従動杆と、前記従動杆の出没に連動してドアボルトの出没を規制するドアボルトストッパと、を含んで構成されていることを特徴とする。 
【００１７】
さらに、本発明は、前記連係リンク部材が、前記作動杆の始動に対して前記ボルト押戻部材の始動をわずかに遅らせるように構成されていることを特徴とする。
【００１８】
さらに、本発明は、前記親扉側に、前記ドアボルトが没入して親扉側の閉鎖手段が解除された状態で、前記親扉側の開扉操作手段を拘束する開扉状態保持手段が設けられるとともに、前記開扉状態保持手段は、前記子扉及び前記親扉が閉扉して両扉の召合せ面が相対すると該拘束状態を解除するリセット手段を具備していることを特徴とする。
【００１９】
さらに、本発明は、前記子扉に、子扉側の閉鎖手段が解除されて、前記作動杆が召合せ面から突出するとともに前記ボルト押戻部材がドアボルトの受口を塞いだ状態で、前記連係リンク部材を拘束する開扉状態保持手段が設けられるとともに、前記開扉状態保持手段は、前記子扉及び前記親扉が閉扉して両扉の召合せ面が相対すると該拘束状態を解除するリセット手段を具備していることを特徴とする。
【００２０】
さらに、本発明は、前記親扉に屋外側から操作可能な錠装置及び外ハンドルが取り付けられ、前記錠装置の解錠操作により前記親扉側の従動機構が動いてドアボルトの出没規制が解除され、前記外ハンドルの操作により親扉側の閉鎖手段が解除されることを特徴とする。
【発明の効果】
【００２１】
上述のように構成される本発明の非常用扉の開閉装置は、先開き・後閉め側になる親扉の屋内側に取り付けられたハンドルの押込操作によって親扉が開扉可能になるだけでなく、後開き・先閉め側になる子扉の屋内側に取り付けられたハンドルの押込操作によっても子扉と親扉の両方が開扉可能になるように構成されている。つまり、どちらか一方の扉のハンドルを押せば、少なくともその扉は無理なく開くので、緊急時に扉を開く際の先後順がわからなくても、戸惑うことなく扉を開いて迅速に避難することができる。
【００２２】
さらに、親扉と子扉との召合せ部分に目板が取り付けられている場合には、子扉側のハンドル操作によって閉鎖手段が解除された子扉を押し開くと、目板を介して親扉も押し開かれるので、両扉の開扉がさらに容易になる。
【図面の簡単な説明】
【００２３】
【図１】本発明の実施形態にかかる親子式の非常用扉の全体的構成を示す屋内側正面略図である。
【図２】前記非常用扉の屋外側正面略図である。
【図３】前記非常用扉における召合せ部分近傍の上面略図である。
【図４】前記非常用扉の親扉の屋内側に取り付けられるハンドルの構成を示す横断面略図であり、（ａ）は閉扉時の状態、（ｂ）は開扉操作時の状態をそれぞれ示す。
【図５】前記非常用扉の開閉装置の全体的構成を示す屋内側正面略図である。
【図６】前記開閉装置における親扉側の閉鎖手段を解除側に動かし始めた状態を示す屋内側正面略図である。
【図７】同、親扉側の閉鎖手段を解除し終えた状態を示す屋内側正面略図である。
【図８】前記開閉装置における子扉側の閉鎖手段を解除側に動かし始めた状態を示す屋内側正面略図である。
【図９】同、子扉側の閉鎖手段を解除し終えた状態を示す屋内側正面略図である。
【図１０】前記開閉装置における親扉側の閉鎖手段を屋外側から解錠して開扉する際の動作を示す屋内側正面略図である。
【図１１】前記開閉装置における親扉側の開扉状態保持手段と、そのリセット手段の構成を示す屋内側正面略図である。
【図１２】前記開閉装置における子扉側の開扉状態保持手段と、そのリセット手段の構成を示す屋内側正面略図である。
【図１３】前記非常用扉の開閉時における前記開閉装置の内部の組み付け状態を立体的に示した斜視略図である。
【図１４】同じく、別方向からの斜視略図である。
【発明を実施するための形態】
【００２４】
以下、本発明の実施の形態について図を参照して説明する。
【００２５】
（非常用扉の全体的構成）
図１〜図３は本発明の実施形態にかかる親子式の非常用扉の全体的構成を示す。図１は、非常用扉を屋内側（退室側）から見た外観を示し、図２は前記非常用扉を屋外側（入室側）から見た外観を示している。また、図３は、前記非常用扉の召合せ部分近傍を上方から見た外観を示している。
【００２６】
例示の非常用扉は、開口枠２内に、２枚の扉（ウイング）１、１が屋外側に向けて両開きとなるように取り付けられたものである。図２及び図３に示すように、両扉１、１の召合せ部分には、両扉１、１の隙間を防ぐ目板（目隠し板）３が、扉１の高さ方向略全体にわたって取り付けられている。例示形態においては、図３に示すように、屋内側から見て右側の扉１の屋外側に目板３が取り付けられており、この目板３の位置によって左右の扉１、１の開閉順序が規定される。つまり、図１及び図３において、右側が先開き・後閉め側の親扉１Ａとなり、左側が後開き・先閉め側の子扉１Ｂとなる。この目板３は子扉１Ｂの屋内側に取り付けられていてもよいし、親扉１Ａの屋外側と子扉１Ｂの屋内側との両方に取り付けられていてもよい。以下、両扉１、１に共通する構成要素の説明に関して親扉１Ａ側と子扉１Ｂ側とを区別する必要がある場合は、各構成要素の符号に「Ａ（親扉）」または「Ｂ（子扉）」を付す。
【００２７】
各扉１の吊元側には、各扉１を回動自在に保持する適宜のヒンジ部材４が取り付けられている。また、開かれた各扉１を閉扉側に付勢して自動的に閉じるために、各扉１に適宜のドアクローザ（図示せず）等が取り付けられる。ただし、本発明においては、ヒンジ部材４やドアクローザ等の具体的構成は特に限定しない。
【００２８】
各扉１には、閉扉状態にある各扉１を、不用意に開かないように開口枠２内に固定する閉鎖手段と、それを解除側に動かす開扉操作手段とが組み付けられている。子扉１Ｂ側の閉鎖手段は、子扉１Ｂの上下に固定具が出没して開口枠２の上枠部及び下枠部にそれぞれ係脱する２点締まりとなっている。また、親扉１Ａ側の閉鎖手段は、親扉１Ａの上下に固定具が出没して開口枠２の上枠部及び下枠部にそれぞれ係脱するとともに、親扉１Ａの戸先錠面にドアボルト５が出没して子扉１Ｂの戸先錠面に係脱する３点締まりとなっている。なお、本明細書中の記載における「開口枠」には、枠内の床部材も含む。
【００２９】
各扉１の開扉操作手段は、各扉１の屋内側にそれぞれ取り付けられた横長のハンドル６を手動で操作することにより駆動される。親扉１Ａ及び子扉１Ｂにそれぞれ取り付けられるハンドル６Ａ、６Ｂは同一の構成を具備しており、内部機構の動作が互いに左右対称になるように取り付けられている。以下、図３及び図４を参照しつつ、親扉１Ａ側に取り付けられるハンドル６Ａの構成を説明する。
【００３０】
（ハンドル）
親扉１Ａ側のハンドル６Ａは、ハンドルボックス６１Ａ、プッシュバー６２Ａ、リンクプレート６３、リンクプレート取付片６４、スライドバー６５、作動レバー６６Ａ、バネ部材６７、等を組み合わせて構成されている。
【００３１】
ハンドルボックス６１は、横長の箱状部材で、親扉１Ａの屋内面に固定されている。プッシュバー６２Ａは、ハンドルボックス６１の屋内側に被せられて、ハンドルボックス６１の内側に取り付けられたバネ部材６７による反発力を受けながら、屋外側に向けて適宜のストロークで押し込むことができるように保持される。
【００３２】
ハンドルボックス６１の内側の左右２ヶ所にはリンクプレート取付片６４が固定されており、このリンクプレート取付片６４にそれぞれリンクプレート６３が取り付けられている。リンクプレート６３は上面視略三角形状の板状部材で、その角部近傍３ヶ所に軸部材が取り付けられている。図中右側に配された第１の軸部材６３１は、リンクプレート取付片６４に不動状態で軸着されており、この軸部材６３１を支点にしてリンクプレート６３が水平面内で揺動し得るように保持される。図中左側に配された第２の軸部材６３２は、プッシュバー６２の裏面に当接する状態に保持され、プッシュバー６２の押し込み操作によって図中上向きに揺動する。図中上側に配された第３の軸部材６３３は、スライドバー６５に連結され、プッシュバー６２の押し込み操作によって図中右向きに揺動する。スライドバー６５は、横方向に延びる棒状の部材で、その左右２ヶ所が軸部材６３３を介してリンクプレート６３に連結され、リンクプレート６３の揺動に伴って図中右向きに平行移動する。
【００３３】
なお、この種の軸部材に関する以下の説明において、対応する図面には、その位置が動かずに動作の支点となる軸部材（固定軸）を黒丸で表し、その位置が動いて力点または作用点になる軸部材（作動軸）を白丸で表すこととする。
【００３４】
作動レバー６６Ａは、その基端が固定軸６６１を介してハンドルボックス６１に軸着され、その中間部が作動軸６６２を介してスライドバー６５の吊元側端部に連結されている。そして、先端に延びる作動爪部６８Ａが、親扉１Ａに組み付けられた錠ケース１０Ａの内部まで挿入されている。
【００３５】
開扉操作に際しては、図４（ａ）の状態からプッシュバー６２Ａを押し込むと、リンクプレート６３が固定軸６３１を支点にして図中時計回りに揺動し、スライドバー６５が図中右向きに平行移動して、作動レバー６６Ａの作動爪部６８Ａが図中右向きに揺動する。このようにして、親扉１Ａ内に組み付けられた開扉操作手段に図中右向きの駆動力が作用することになる。
【００３６】
他方、詳細な説明は省くが、図３に示したように、子扉１Ｂ側のハンドル６Ｂは親扉１Ａ側のハンドル６Ａを左右反転させるようにして子扉１Ｂの屋内側に取り付けられており、プッシュバー６２Ｂを押し込むと、作動レバー６６Ｂの作動爪部６８Ｂが屋内側から見て左向きに揺動する。それ以外の構成は親扉１Ａ側と同じである。
【００３７】
（開閉装置の全体的構成）
図５は、この非常用扉が閉じられて、特に何も操作されていない状態における開閉装置の全体的構成を示した屋内側正面略図である。各扉１を閉扉状態のまま保持する閉鎖手段と、それを解除側に動かす開扉操作手段の主要部は、各扉１の戸先側にそれぞれ取り付けられた略箱状の錠ケース１０Ａ、１０Ｂ内に組み付けられている。また、図１３及び図１４は、該閉鎖時における錠ケース１０Ａ、１０Ｂ内部の主要な部材の組み付け状態を立体的なイメージで示したものである。以下、主に図５を参照しつつ、各扉１の閉鎖手段及び開扉操作手段等の詳細な構成について説明する。
【００３８】
（親扉の閉鎖手段及び開扉操作手段）
図５の右側に示した親扉１Ａの閉鎖手段は、親扉１Ａの上下に出没して開口枠２に係脱する２点締めの固定具と、親扉１Ａの戸先から出没して子扉１Ｂの戸先錠面に係脱するドアボルト５とを連係させたものとして構成される。
【００３９】
固定具は、錠ケース１０Ａから上方及び下方に延びる上下一対の延伸ロッド１１、延伸ロッド１１の先端にそれぞれ取り付けられた上下一対の係合部材１２（図１、２参照）、各延伸ロッド１１の基部にそれぞれ結合されて錠ケース１０Ａ内に組み込まれる上下一対のロッドコネクタ１３、上下のロッドコネクタ１３にそれぞれ連結された上下一対のベルクランク１４、上下のベルクランク１４同士を連結するクランクコネクタ１５、ロッドコネクタ１３を突出側に付勢するバネ部材１６、クランクコネクタ１５に結合された受動シャフト１７Ａ及び受動フレーム１８、等を組み合わせて構成されている。
【００４０】
閉鎖時には、バネ部材１６がロッドコネクタ１３を上下に押し出し、延伸ロッド１１の先端に取り付けられた係合部材１２が、開口枠２の上枠部及び下枠部（または床面）にそれぞれ設けられた適宜の係合凹部２１に係合する。なお、係合部材１２は、単純な棒状の部材でもよいし、扉１が閉じて開口枠２に当接すると自動的に没入した後、弾性復帰して係合するラッチ状の部材でもよい。また、開口枠２側の係合凹部２１の形状も、係合部材１２に合わせて適宜設計されればよい。
【００４１】
ベルクランク１４は、略Ｌ字状をなし、その屈曲部近傍に設けられた固定軸１４１を介して錠ケース１０Ａ内に揺動自在に取り付けられている。ベルクランク１４の一端は作動軸１４２を介してロッドコネクタ１３に連結され、他端は作動軸１４３を介してクランクコネクタ１５に連結されている。
【００４２】
クランクコネクタ１５には、受動シャフト１７Ａと受動フレーム１８とが一体的に結合され、さらに受動フレーム１８の戸先側にはドアボルト５が結合されている。これらの結合体は、錠ケース１０Ａ内を図中左右方向に摺動し得るように保持されている。さらに、受動シャフト１７Ａにはバネ部材１７１が挿装されて、該結合体を図中左向きに付勢しており、これによってドアボルト５が親扉１Ａの戸先上面から突出するように保持される。
【００４３】
この受動フレーム１８の内側には、錠ケース１０Ａに形成された横長矩形のガイド孔１０１を通じて、前述した作動レバー６６Ａの作動爪部６８Ａが挿し込まれている。例示形態では、作動爪部６８Ａは上下一対で動作するように組み付けられている。
【００４４】
また、受動フレーム１８の上側には、ドアボルト５の出没を規制するドアボルトストッパ３１が、固定軸３１１を介して錠ケース１０Ａ内に揺動自在に取り付けられている。閉鎖時には、ドアボルトストッパ３１の戸先側端部が自重で自然に下がってドアボルト５の背面近傍に掛止され、ドアボルト５を含む結合体が図中右向きに移動するのを規制している。
【００４５】
また、ドアボルトストッパ３１の図中右側には、ストッパ解除フック３２が、固定軸３２１を介して錠ケース１０Ａ内に揺動自在に取り付けられている。ストッパ解除フック３２の図中左端は掛止ピン３２２を介してドアボルトストッパ３１の図中右端に掛止しており、ストッパ解除フック３２の図中右端は作動レバー６６の作動爪部６８付近に保持されている。
【００４６】
これらによって構成された親扉１Ａ側の閉鎖手段は、親扉１Ａ側のハンドル操作により、図６から図７に示すようにして解除される。すなわち、図５の状態で、親扉１Ａの屋内側からプッシュバー６２Ａ（図３参照）を押すと、作動レバー６６Ａの作動爪部６８Ａが図中右向きに動いて、図６に示すように、まず、ストッパ解除フック３２の図中右端を摺り上げる。すると、ストッパ解除フック３２の図中左端が下向きに動き、掛止ピン３２２を介してドアボルトストッパ３１の図中右端も下向きに動く。これにより、ドアボルトストッパ３１の戸先側端部が持ち上げられてドアボルト５の背面から離れ、ドアボルト５とこれに結合された受動フレーム１８、受動シャフト１７Ａ及びクランクコネクタ１５との結合体が右向きに摺動可能になる。
【００４７】
さらに作動レバー６６Ａの作動爪部６８Ａを右方へ動かすと、図７に示すように、作動爪部６８Ａが受動フレーム１８を含む結合体をさらに右方へと移動させる。これにより、ドアボルト５が子扉１Ｂの戸先錠面から離脱するとともに、ベルクランク１４が固定軸１４１を支点に揺動して、ベルクランク１４とロッドコネクタ１３との連結部が受動シャフト１７Ａ側へと引き寄せられ、延伸ロッド１１が後退して、それらの先端に取り付けられた係合部材１２が開口枠２から離脱する。こうして３ヶ所の固定点が解除されると、プッシュバー６２Ａを押している力で、そのまま親扉１Ａを屋外側に開くことができる。
【００４８】
（子扉の閉鎖手段及び開扉操作手段）
子扉１Ｂの閉鎖手段は、子扉１Ｂの上下に出没して開口枠２に係脱する２点締めの固定具によって構成される。この固定具の構成は、前述した親扉１Ａ側の固定具の構成とほぼ同一である。すなわち、図５の左側に示したように、上下一対のロッドコネクタ１３から延伸ロッド１１がそれぞれ延び、その先端に取り付けられた係合部材１２（図１、２参照）が、バネ部材１６の付勢力を得て、開口枠２の上枠部及び下枠部（または床面）にそれぞれ設けられた係合凹部２１に係合する。ロッドコネクタ１３にはベルクランク１４が連結され、さらに上下のベルクランク１４同士はクランクコネクタ１５に連結されている。
【００４９】
クランクコネクタ１５には、受動シャフト１７Ｂ及び受動プレート１９が一体的に結合されており、これらの結合体は、錠ケース１０Ｂ内を図中左右方向に摺動し得るように保持されている。受動プレート１９の図中右側には、錠ケース１０Ｂに形成された横長矩形のガイド孔１０１を通じて、作動レバー６６Ｂの作動爪部６８Ｂが挿し込まれている。
【００５０】
これらによって構成された子扉１Ｂ側の閉鎖手段は、子扉１Ｂ側のハンドル操作により、図８から図９に示すようにして解除される。すなわち、図５の状態で、子扉１Ｂの屋内側に取り付けられたハンドル６Ｂのプッシュバー６２Ｂ（図３参照）を押すと、作動レバー６６Ｂの作動爪部６８Ｂが図中左向きに動いて、受動プレート１９、受動シャフト１７Ｂ及びクランクコネクタ１５の結合体を左方へと移動させる。すると、ベルクランク１４が固定軸１４１を支点に揺動して、ロッドコネクタ１３及び延伸ロッド１１が受動シャフト１７Ｂ側へと引き寄せられ、延伸ロッド１１の先端に取り付けられた係合部材１２が開口枠２から離脱する。
【００５１】
ただし、このようにして上下２ヶ所の固定点を解除しても、子扉１Ｂの戸先錠面には親扉１Ａ側のドアボルト５が係合したままなので、まだ子扉１Ｂは開かない。そこで、この開閉装置には、子扉１Ｂ側の開扉操作を親扉１Ａ側にも伝達して、親扉１Ａの閉鎖手段も解除するための開扉連係手段が設けられている。
【００５２】
（開扉連係手段）
開扉連係手段は、子扉１Ｂ側から親扉１Ａ側に作用する子扉１Ｂ側の作動機構と、それに応じて親扉１Ａ側の開扉操作手段を動かす親扉１Ａ側の従動機構とによって構成される。
【００５３】
子扉１Ｂ側の作動機構は、子扉１Ｂの戸先錠面に出没して親扉１Ａとの召合せ面に作用する作動杆４１と、子扉１Ｂの錠ケース１０Ｂ内からドアボルト５の先端に向けて出没するボルト押戻部材４２と、それら作動杆４１及びボルト押戻部材４２を子扉１Ｂ側のハンドル操作に連動して動かす連係リンク部材と、を具備する。 
【００５４】
連係リンク部材は、ロッカアーム４３とリンクレバー４４とを連結して構成される。ロッカアーム４３は、その一端が受動シャフト１７Ｂの戸先側端部に作動軸４３１を介して連結され、他端がリンクレバー４４の下端近傍に作動軸４３２を介して連結されている。リンクレバー４４は、その中間部が固定軸４４１を介して錠ケース１０Ｂ内に軸支され、上端近傍が作動軸４２１を介してボルト押戻部材４２に連結されている。さらに、リンクレバー４４の上端には突出爪部４４２が延設されている。
【００５５】
作動杆４１は、錠ケース１０Ｂ内に取り付けられたホルダ４１１を介して、図中左右方向に摺動し得るように保持されている。作動杆４１の頭部４１２は子扉１Ｂの戸先錠面からわずかに突出しているが、作動杆４１の図中略左半部にはバネ部材４１３が挿装されて、頭部４１２の突出に抗する向きの付勢力を与えている。
【００５６】
作動杆４１の中間部には、正面視略三角形状の揺れ子４５がピン連結されて揺動自在に保持されている。揺れ子４５の下端は、図５の状態では、略直立状態にあるリンクレバー４４の突出爪部４４２によって持ち上げられている。
【００５７】
ボルト押戻部材４２は、その平坦な頭側面をドアボルト５の先端に当接させ、錠ケース１０Ｂ内で図中左右方向に摺動し得るように保持されている。
【００５８】
親扉１Ａ側の従動機構は、親扉１Ａの戸先錠面に出没して作動杆４１に当接する従動杆５１と、前述したドアボルトストッパ３１から上方に延出された従動アーム３３と、を組み合わせて構成される。従動杆５１は、錠ケース１０Ａ内で図中左右方向に摺動し得るように保持され、その中間部には従動アーム３３の上端に取り付けられた従動ピン３３１が係合している。従動杆５１の頭部５１１は、親扉１Ａの戸先錠面から突出して、作動杆４１の頭部４１２に相対している。従動アーム３３は、ドアボルトストッパ３１の固定軸３１１を支点にして、ドアボルトストッパ３１と一体的に揺動し、これに応じて従動ピン３３１が図中左右方向に揺動するように保持される。
【００５９】
これらの部材によって構成される開扉連係手段は、図８から図９に示すようにして親扉１Ａ側の閉鎖手段を解除する。すなわち、図５の状態から、子扉１Ｂ側のハンドル操作によって作動レバー６６Ｂの作動爪部６８Ｂが図中左向きに動き、受動プレート１９、受動シャフト１７Ｂ及びクランクコネクタ１５の結合体が左方へ移動し始めると、図８に示すように、受動シャフト１７Ｂに連結されたロッカアーム４３がリンクレバー４４の下端を図中左方に引っ張って、リンクレバー４４を図中右回りに回動させる。すると、まず、リンクレバー４４の上端に形成された突出爪部４４２が揺れ子４５を戸先側に押しやり、作動杆４１の頭部４１２が親扉１Ａ側にせり出して、親扉１Ａ側の従動杆５１を親扉１Ａの錠ケース１０Ａ内に押し込む。
【００６０】
従動杆５１が親扉１Ａ側に押し込まれると、従動杆５１の中間部に係合している従動ピン３３１を介して従動アーム３３が図中右方に傾き、ドアボルトストッパ３１の戸先側端部が持ち上げられてドアボルト５の背面から離れ、ドアボルト５とこれに結合された受動フレーム１８、受動シャフト１７Ａ及びクランクコネクタ１５の結合体が右向きに摺動可能になる。
【００６１】
この状態から、子扉１Ｂ側の作動レバー６６Ｂの先端爪部６８Ｂがさらに左方に動くと、図９に示すように、ロッカアーム４３に引っ張られたリンクレバー４４が大きく回動して、その突出爪部４４２が揺れ子４５から離れる。しかし、揺れ子４５の下端は錠ケース１０Ｂ内に設けられた揺れ子掛止段部４６に引っ掛かって、作動杆４１はその頭部４１２をせり出した状態に保持される。
【００６２】
リンクレバー４４が固定軸４４１を支点にして回動することにより、リンクレバー４４の上端近傍に係合している作動軸４２１を介して、ボルト押戻部材４２も右向きに移動する。より詳細には、リンクレバー４４の固定軸４４１から、揺れ子４５に当接する突出爪部４４２までの距離と、ボルト押戻部材４２を連結する作動軸４２１までの距離との遠近差や、作動軸４２１の長孔形状等を調整することにより、作動杆４１の始動に対してボルト押戻部材４２の始動がわずかに遅れるように構成されている。
【００６３】
こうして、子扉１Ｂ側のボルト押戻部材４２がドアボルト５を子扉１Ｂ側から押し出して親扉１Ａ側に押し込むと、親扉１Ａ側のハンドル６を操作したときと同様に、ドアボルト５、受動フレーム１８、受動シャフト１７Ａ及びクランクコネクタ１５の結合体が右方に移動して、ベルクランク１４が揺動し、延伸ロッド１１が後退して、親扉１Ａ側の上下２ヶ所の固定点も解除される。
【００６４】
この状態になると、前述の通り子扉１Ｂ側の上下２ヶ所の固定点も解除されるので、子扉１Ｂ側のプッシュバー６２Ｂを押せば、その力が目板３を介して親扉１Ａに伝わり、子扉１Ｂと親扉１Ａとを一緒に開くことができる。このような構成により、親扉１Ａ側のハンドル操作を要さずに、子扉１Ｂ側のハンドル操作だけで子扉１Ｂと親扉１Ａとを開扉することのできる開閉装置が実現する。
【００６５】
（屋外側からの開扉操作）
この種の非常用扉は、平常時においては、屋外側からは勝手に入れないように施錠され、必要があればキーで解錠して開扉できるのが実用的である。そこで、この非常用扉にも、図２に示すように、屋外側から操作可能な錠装置及び外ハンドルが親扉１Ａ側に取り付けられている。それらについて、図１０（ａ）及び（ｂ）を参照しつつ説明する。
【００６６】
錠装置は、親扉１Ａ側の錠ケース１０Ａの上部寄りに、屋外側からキーで解錠するシリンダ錠７等を取り付けて構成されている。シリンダ錠７の軸部には解錠カム７１が結合されており、解錠時には、解錠カム７１の先端が、従動杆５１の図中右端に取り付けられた解錠ピン５１２に当接して、従動杆５１を右方に動かす。すると、前述した開扉連係手段によって従動杆５１が親扉１Ａ側に押し込まれたときと同様に、従動ピン３３１を介して従動アーム３３が図中右方に傾き、ドアボルトストッパ３１の戸先側端部が持ち上げられてドアボルト５の背面から離れ、ドアボルト５とこれに結合された受動フレーム１８、受動シャフト１７Ａ及びクランクコネクタ１５との結合体が右向きに摺動可能になる。
【００６７】
外ハンドルは、親扉１Ａ側の錠ケース１０Ａの下部寄りに、レバーハンドル８、或いはこれに類するノブその他の把手部材を取り付けて構成されている。レバーハンドル８の軸部８１にはレバーカム８２が結合されており、レバーカム８２の先端は受動フレーム１８に当接している。ドアボルトストッパ３１がドアボルト５と受動フレーム１８等との結合体の移動を規制している状態では、レバーハンドル８を操作しようとしても動かないが、前述の解錠操作によって該結合体を摺動可能にすると、レバーハンドル８を操作して、レバーカム８２で該結合体を右方に動かすことができる。これにより、ドアボルト５が子扉１Ｂの戸先錠面から離脱するとともに、ベルクランク１４も揺動して上下２ヶ所の固定点が解除され、親扉１Ａが開扉可能になる。
【００６８】
（親扉の開扉状態保持手段とリセット手段）
これまで説明したように、親扉１Ａ側の閉鎖手段は、（１）親扉１Ａ側のハンドル操作、（２）子扉１Ｂ側のハンドル操作から開扉連係手段を介した開扉操作、（３）屋外側からの解錠操作を伴う外ハンドル操作、の３通りの方法によって、同様に解除される。ただし、どの方法で解除された場合でも、親扉１Ａのドアボルト５及び固定具は突出側に常時付勢されているので、親扉１Ａが開いてハンドル６Ａから手が離れるなどすれば、ドアボルト５及び固定具は突出位置に復帰する。すると、ドアクローザ等の付勢力によって親扉１Ａが自動的に閉じようとしても、突出したドアボルト５が子扉１Ｂの戸先にぶつかって閉扉できないので、日常的な使い勝手が良くない。
【００６９】
そこで、この非常用扉には、いずれかの開扉操作によって親扉１Ａ側の閉鎖手段が解除され、ドアボルト５が一旦、引き込まれたら、親扉１Ａ及び子扉１Ｂの両方が閉扉位置に戻って召合せ面同士が相対するまで、その状態を保持する開扉状態保持手段と、そのリセット手段とが設けられている。具体的には、図１１に示すように、ドアボルト５が突出位置に戻るのを規制する復帰ストッパ９１Ａが、受動フレーム１８の下面に相対するようにして取り付けられるとともに、さらにその下方に、両扉の召合せ面同士が相対したときに復帰ストッパ９１Ａを解除するリセットトリガ９２Ａが取り付けられている。
【００７０】
復帰ストッパ９１Ａは横長の部材で、その中間部が固定軸９１１を介して錠ケース１０Ａ内に取り付けられ、シーソーのように揺動する。復帰ストッパ９１Ａは、戸先側のほうが吊元側よりもやや重くなるように形成されて、外力を受けなければ自重で図中左下がりになるが、閉鎖時には、復帰ストッパ９１Ａの上縁が受動フレーム１８の下面に形成されたストッパ掛止段部１８１に接触して、略水平の姿勢に保持される。
【００７１】
そして、前記いずれかの開扉操作によってドアボルト５、受動フレーム１８、受動シャフト１７Ａ及びクランクコネクタ１５の結合体が図中右方に移動すると、ストッパ掛止段部１８１が復帰ストッパ９１Ａの吊元側端部を超えたところで復帰ストッパ９１Ａが左下がりに傾き、吊元側端部の角部をストッパ掛止段部１８１に掛止させた状態で該結合体を拘束する。こうして、ドアボルト５及び固定具が突出位置に復帰することが規制され、親扉１Ａ側の開扉状態が保持されることとなる。
【００７２】
なお、例示形態では、親扉１Ａ側からの開扉操作と子扉１Ｂ側からの開扉操作との間で、ドアボルト５の押し込まれる位置が若干相違するため、それに合わせてストッパ掛止段部１８１を２ヶ所設けているが、設計寸法の調整等によってストッパ掛止段部１８１が１ヶ所に統一されてもよい。
【００７３】
リセットトリガ９２Ａは略棒状の部材で、錠ケース１０Ａ内で略水平に摺動しうるように、適宜のホルダ９２１を介して取り付けられている。リセットトリガ９２Ａにはバネ部材９２２が挿装され、その付勢力によって、頭部９２３が親扉１Ａの戸先錠面から突出するように保持されている。戸先錠面からの突出長さは、親扉１Ａと子扉１Ｂとの召合せ部の隙間よりも大きくなるように設定されている。頭部９２３の先端は、子扉１Ｂの戸先に接触すると自然に押し込まれるようなラッチ形状に形成されている。
【００７４】
リセットトリガ９２Ａの中間部には、復帰ストッパ９１Ａの戸先側下縁に干渉するリセット突片９２４が取り付けられている。そして、親扉１Ａ及び子扉１Ｂの両方が閉扉位置に戻って召合せ面同士が相対すると、リセットトリガ９２Ａの頭部９２３が子扉１Ｂに接触して押し込まれ、リセット突片９２４が復帰ストッパ９１Ａの戸先側下縁を摺り上げる。すると、復帰ストッパ９１Ａが略水平の姿勢に戻り、その吊元側端部が受動フレーム１８のストッパ掛止段部１８１から外れ、ドアボルト５、受動フレーム１８、受動シャフト１７Ａ及びクランクコネクタ１５の結合体の拘束が解かれて移動が可能になり、ドアボルト５及び固定具が閉鎖時の突出位置（図５参照）に復帰する。
【００７５】
このような開扉状態保持手段と、そのリセット手段を設けることにより、親扉１Ａの日常的な使い勝手が向上する。
【００７６】
（子扉の開扉状態保持手段とリセット手段）
この非常用扉は、子扉１Ｂ側にも、前述した親扉１Ａ側と同様の開扉状態保持手段及びそのリセット手段が設けられている。具体的には、図１２に示すように、ボルト押戻部材４２が没入位置に戻るのを規制する復帰ストッパ９１Ｂが、ロッカアーム４３及びリンクレバー４４の下方に取り付けられるとともに、さらにその下方に、両扉１、１の召合せ面同士が相対したときに復帰ストッパ９１Ｂを解除するリセットトリガ９２Ｂが取り付けられている。
【００７７】
復帰ストッパ９１Ｂは、親扉１Ａ側の復帰ストッパ９１Ａと同様の部材で、親扉１Ａ側とは左右対称になるように錠ケース１０Ｂ内に取り付けられている。閉鎖時には、図５に示したように、復帰ストッパ９１Ｂの上縁にロッカアーム４３またはリンクレバー４４の下端縁が接触して、復帰ストッパ９１Ｂが略水平の姿勢に保持される。
【００７８】
リセットトリガ９２Ｂも親扉１Ａ側のリセットトリガ９２Ａと同様の部材で、親扉１Ａ側とは左右対称になるように錠ケース１０Ｂ内に取り付けられ、バネ部材９２２の付勢力によって、頭部９２３を子扉１Ｂの戸先錠面から突出させている。
【００７９】
子扉１Ｂ側の開扉操作によって、受動プレート１９、受動シャフト１７Ｂ及びクランクコネクタ１５の結合体が左方に移動し、受動シャフト１７Ｂに引っ張られたロッカアーム４３及びリンクレバー４４が大きく回動すると、図９に示したように、ロッカアーム４３及びリンクレバー４４が復帰ストッパ９１Ｂから離れて、復帰ストッパ９１Ｂが自由になる。さらに、子扉１Ｂ及び親扉１Ａが開かれて両扉１、１の召合せ面が離れると、図１２に示すように、リセットトリガ９２Ｂが子扉１Ｂの戸先錠面から大きく突出するとともに、復帰ストッパ９１Ｂが右下がりに傾き、その吊元側端部の角部を、ロッカアーム４３の下端縁に形成されたストッパ掛止切欠部４３３に掛止させる。こうして、ロッカアーム４３及びリンクレバー４４の姿勢が拘束され、ボルト押戻部材４２を戸先錠面に突出させた子扉１Ｂ側の開扉状態が保持される。
【００８０】
そして、親扉１Ａ及び子扉１Ｂの両方が閉扉位置に戻り、両扉１、１の召合せ面同士が相対すると、リセットトリガ９２Ｂの頭部９２３が親扉１Ａに接触して押し込まれ、リセット突片９２４が復帰ストッパ９１Ｂの戸先側下縁を摺り上げる。すると、復帰ストッパ９１Ｂの吊元側端部がロッカアーム４３のストッパ掛止切欠部４３３から外れて、復帰ストッパ９１Ｂが略水平の姿勢に戻り、受動プレート１９、受動シャフト１７Ｂ及びクランクコネクタ１５の結合体、上下の固定具、ボルト押戻部材４２がそれぞれ閉鎖時の位置（図５参照）に復帰する。また、リンクレバー４４が直立状態に戻る際に、その突出爪部４４２で揺れ子４５を一度押し上げることにより、揺れ子４５が揺れ子掛止段部４６から外れて、作動杆４１も閉扉時の位置に戻る。
【００８１】
このような開扉状態保持手段と、そのリセット手段を子扉１Ｂにも設けることにより、非常用扉全体の日常的な使い勝手がさらに向上する。
【００８２】
（本発明の技術的範囲）
本発明の技術的範囲は、前述の実施形態によって限定的に解釈されるべきものではなく、特許請求の範囲に記載された基本的構成及び全体的作用に基づいて概念的に解釈されるべきものである。したがって、本発明は、前述の実施形態と同様の作用効果が得られる範囲において、各部を構成する個々の部材の形状や互いの係合形態、位置関係等を適宜改変して実施することが可能である。
【符号の説明】
【００８３】
１  扉
１Ａ  親扉
１Ｂ  子扉
２  開口枠
３  目板
５  ドアボルト
６（６Ａ、６Ｂ）  ハンドル
７  シリンダ錠（錠装置）
８  レバーハンドル（外ハンドル）
４１  作動杆
４２  ボルト押戻部材
５１  従動杆
３１  ドアボルトストッパ
９１Ａ、９１Ｂ  復帰ストッパ（開扉状態保持手段）
９２Ａ、９２Ｂ  リセットトリガ（リセット手段）
【図１】
0006496615.tif 000002
【図２】
0006496615.tif 000003
【図３】
0006496615.tif 000004
【図４】
0006496615.tif 000005
【図５】
0006496615.tif 000006
【図６】
0006496615.tif 000007
【図７】
0006496615.tif 000008
【図８】
0006496615.tif 000009
【図９】
0006496615.tif 000010
【図１０】
0006496615.tif 000011
【図１１】
0006496615.tif 000012
【図１２】
0006496615.tif 000013
【図１３】
0006496615.tif 000014
【図１４】
0006496615.tif 000015